(57)【要約】【課題】原稿に禁止画像が存在した場合に禁止画像の出力は阻止するが予約ジョブの実行を妨げることのないようにする。【解決手段】画像読み取りユニットにて原稿を１枚読み取る（Ｓ１０１）。このとき地紋認識ユニットで特定の地紋パターンが認識されたかどうか判断し（Ｓ１０２）、特定の地紋パターンが認識された場合には、予約ジョブが存在するかどうかさらに判断し（Ｓ１０５）、存在する場合は、読み取った画像情報を画像書き込みユニットで無効化して転写紙に転写し（Ｓ１０６）、転写紙搬送制御ユニットで通常の転写紙束の配置位置から排紙位置をシフトさせて排紙口へ排紙する（１０７）。【選択図】図６
2006171653.tif 000002
【特許請求の範囲】
【請求項１】
画像読み取り情報に基づいて記録シートに画像を形成する画像形成装置において、
前記画像読み取り情報に複写禁止画像情報が含まれている場合に、当該複写禁止画像情報を認識する手段と、
前記認識する手段によって前記複写禁止画像情報を認識した場合に読み取った画像を無効にするための画像加工を行う手段と、
前記認識する手段で前記複写禁止画像情報を認識し、なおかつ予約ジョブが存在する場合には、ジョブの実行を中断せずに無効とした画像を出力させる手段と、
を備えていることを特徴とする画像形成装置。
【請求項２】
前記複写禁止画像情報が地紋の情報であり、前記認識する手段は特定の画素を参照して地紋パターンを認識することを特徴とする請求項１記載の画像形成装置。
【請求項３】
前記無効とされた画像が形成された記録シートを、無効とされない画像が形成された記録シート束からシフトして排紙する手段を備えていることを特徴とする請求項１記載の画像形成装置。
【請求項４】
原稿を読み取り前記画像読み取り情報を出力する画像読み取り装置を備えていることを特徴とする請求項１ないし３記載の画像形成装置。
【請求項５】
前記ジョブの実行を中断せずに無効とした画像を出力させるか、ジョブの実行を中断して警告するかを選択する手段を備えていることを特徴とする請求項１ないし４のいずれか１項に記載の画像形成装置。
【請求項６】
前記選択する手段は、
操作者からの命令を受け付ける操作入力手段と、
操作者へ動作状況を通知する通知手段と、
を有し、複写ジョブを実行中に前記認識する手段によって前記複写禁止画像情報を認識し、かつ予約ジョブが存在する場合に、ジョブの実行を中断せずに無効とした画像を出力するか、ジョブの実行を中断して前記通知手段を用いて前記操作者に警告するかを、前記操作入力手段から選択させることを特徴とする請求項５記載の画像形成装置。
【請求項７】
画像読み取り情報に基づいて記録シートに画像を形成する画像形成装置の制御方法において、
原稿を読み取る工程と、
前記工程で読み取られた画像情報中に複写禁止画像情報が含まれていることが認識されたときに、予約ジョブが存在するか否かを判定し、予約ジョブが存在する場合には読み取った画像情報を無効化し、記録シートに無効化された画像情報を印字する工程と、
を備えていることを特徴とする画像形成装置の制御方法。
【請求項８】
無効化された画像情報を印字した後、前記印字された記録シートを無効化されない画像情報が印字された記録シートに対してシフトさせて排紙する工程をさらに備えていることを特徴とする請求項７記載の画像形成装置の制御方法。
【請求項９】
画像読み取り情報に基づいて記録シートに画像を形成する画像形成装置の制御方法において、
原稿を読み取る工程と、
前記工程で読み取られた画像情報中に複写禁止画像情報が含まれていることが認識されたときに、ジョブを中断する設定になっているか否かを判定し、ジョブを中断する設定になっていなかったときには読み取った画像情報を無効化し、記録シートに無効化された画像情報を印字する工程と、
を備えていることを特徴とする画像形成装置の制御方法。
【請求項１０】
前記特定の禁止画像情報が地紋の情報であり、前記認識する手段は特定の画素を参照して地紋パターンを認識することを特徴とする請求項７ないし９のいずれか１項に記載の画像形成装置の制御方法。
【発明の詳細な説明】
【技術分野】
【０００１】
本発明は複写禁止原稿が複写対象になったときに当該複写禁止原稿の複写画像を出力しないようにしたコピー、ＦＡＸ、プリンタなどの機能を有するデジタル複合機を含む画像形成装置、及び、この画像形成装置の制御方法に関する。
【背景技術】
【０００２】
複写禁止原稿が複写された場合の処理について様々な発明が提案されている。  
例えば特許文献１には、原稿が複写禁止されている原稿（例えば紙幣、株券等の有価証券）のような所定の特殊原稿から否かを判別する判別手段と、原稿が特殊原稿である場合には、ユーザにその原稿の複写は禁止されている旨等の所定の警告を行う第１警告手段と、第三者にもユーザによるそのような原稿の複写について警告する第２警告手段とを備えたカラー画像形成装置が開示されている。
【０００３】
また、特許文献２には、原稿画像を走査して当該原稿に対応した画像データを生成する画像データ生成手段と、前記画像データ生成手段が生成した前記画像データを用いて、前記原稿画像中に所定の禁止画像が存在するか否かを判別する判別手段と、前記判別手段によって前記禁止画像が存在すると判別された場合には前記原稿画像とは明らかに異なる画像になるように前記画像データを加工して出力し、前記禁止画像が存在しないと判別した場合には前記画像データ生成手段が生成した前記画像データをそのまま出力する加工手段と、前記加工手段が出力した前記画像データをページ単位で蓄積する蓄積手段とを備えた画像処理装置が開示されている。
【０００４】
さらに、特許文献３には、通常の原稿のコピーを妨げることなく、特殊原稿のコピーを禁止して違法複写を未然に防ぐことができ、たとえ特殊原稿がコピーされた場合でも，追跡できるようにした複写機が開示されている。
【特許文献１】特開平１０−２２２０３３号公報
【特許文献２】特開２０００−１７５０３１号公報
【特許文献３】特開平６−１２５４５９号公報
【発明の開示】
【発明が解決しようとする課題】
【０００５】
ところで、画像を読み取った際にある特定の地紋パターンを認識した場合に、その画像を無効にする処理を施す機能を有する画像形成装置では、前記画像を無効にするためにそのジョブを中断するのであれば、前記のジョブの後に予約ジョブが存在する場合、予約ジョブの実行が妨げられてしまう。しかし、前述の特許文献１ないし３に開示された発明では、禁止画像が存在した場合に、その画像を出力しないようにしてはいるが、予約ジョブがあった場合の処理まで考慮されてはいなかった。そのため、禁止画像の出力が阻止された時には、同時に予約ジョブの出力も阻止されてしまうという結果になっていた。
【０００６】
本発明は、このような従来技術の実情に鑑みてなされたもので、その目的は、原稿に禁止画像が存在した場合に禁止画像の出力は阻止するが、予約ジョブの実行を妨げることのないようにして、操作性の向上を図ることにある。
【課題を解決するための手段】
【０００７】
前記目的を達成するため、第１の手段は、画像読み取り情報に基づいて記録シートに画像を形成する画像形成装置において、前記画像読み取り情報に複写禁止画像情報が含まれている場合に、当該複写禁止画像情報を認識する手段と、前記認識する手段によって前記複写禁止画像情報を認識した場合に読み取った画像を無効にするための画像加工を行う手段と、前記認識する手段で前記複写禁止画像情報を認識し、なおかつ予約ジョブが存在する場合には、ジョブの実行を中断せずに無効とした画像を出力させる手段とを備えていることを特徴とする。
【０００８】
第２の手段は、第１の手段において、前記複写禁止画像情報が地紋の情報であり、前記認識する手段は特定の画素を参照して地紋パターンを認識することを特徴とする。
【０００９】
第３の手段は、第１の手段において、前記無効とされた画像が形成された記録シートを、無効とされない画像が形成された記録シート束からシフトして排紙する手段を備えていることを特徴とする。
【００１０】
第４の手段は、第１ないし第３のいずれかの手段において、原稿を読み取り前記画像読み取り情報を出力する画像読み取り装置を備えていることを特徴とする。
【００１１】
第５の手段は、第１ないし第４のいずれかの手段において、前記ジョブの実行を中断せずに無効とした画像を出力させるか、ジョブの実行を中断して警告するかを選択する手段を備えていることを特徴とする。
【００１２】
第６の手段は、第５の手段において、前記選択する手段は、操作者からの命令を受け付ける操作入力手段と、操作者へ動作状況を通知する通知手段とを有し、複写ジョブを実行中に前記認識する手段によって前記複写禁止画像情報を認識し、かつ予約ジョブが存在する場合に、ジョブの実行を中断せずに無効とした画像を出力するか、ジョブの実行を中断して前記通知手段を用いて前記操作者に警告するかを、前記操作入力手段から選択させることを特徴とする。
【００１３】
第７の手段は、画像読み取り情報に基づいて記録シートに画像を形成する画像形成装置の制御方法において、原稿を読み取る工程と、前記工程で読み取られた画像情報中に複写禁止画像情報が含まれていることが認識されたときに、予約ジョブが存在するか否かを判定し、予約ジョブが存在する場合には読み取った画像情報を無効化し、記録シートに無効化された画像情報を印字する工程とを備えていることを特徴とする。
【００１４】
第８の手段は、第７の手段において、無効化された画像情報を印字した後、前記印字された記録シートを無効化されない画像情報が印字された記録シートに対してシフトさせて排紙する工程をさらに備えていることを特徴とする。
【００１５】
第９の手段は、画像読み取り情報に基づいて記録シートに画像を形成する画像形成装置の制御方法において、原稿を読み取る工程と、前記工程で読み取られた画像情報中に複写禁止画像情報が含まれていることが認識されたときに、ジョブを中断する設定になっているか否かを判定し、ジョブを中断する設定になっていなかったときには読み取った画像情報を無効化し、記録シートに無効化された画像情報を印字する工程とを備えていることを特徴とする。
【００１６】
第１０の手段は、第７ないし第９のいずれかの手段において、前記特定の禁止画像情報が地紋の情報であり、前記認識する手段は特定の画素を参照して地紋パターンを認識することを特徴とする。
【００１７】
なお、後述の実施形態において、複写禁止画像情報を認識する手段は地紋検出部３０３に、画像加工を行う手段及び無効とした画像を出力させる手段は画像入出力制御装置２３２のＣＰＵ２２５及び画像書き込みユニット２２３に、シフトして排紙する手段は画像入出力制御装置２３２のＣＰＵ２２５と転写紙搬送制御ユニット２２７に、画像読み取り装置は画像読み取りユニット２２４に、選択する手段は操作パネル制御装置２３１の表示装置２１５及び入力装置２１４に、操作入力手段は入力装置２１４に、通知手段は表示装置２１５に、原稿を読み取る工程はステップＳ１０１，Ｓ２０１に、複写禁止画像情報が含まれていることが認識されたときに、予約ジョブが存在するか否かを判定し、予約ジョブが存在する場合には読み取った画像情報を無効化し、記録シートに無効化された画像情報を印字する工程は、ステップＳ１０２，Ｓ１０５，Ｓ１０６に、無効化された画像情報を印字した後、前記印字された記録シートを無効化されない画像情報が印字された記録シートに対してシフトさせて排紙する工程はステップＳ１０７に、複写禁止画像情報が認識されたときに、ジョブを中断する設定になっているか否かを判定し、ジョブを中断する設定になっていなかったときには読み取った画像情報を無効化し、記録シートに無効化された画像情報を印字する工程はステップＳ２０２，Ｓ２０４，Ｓ２０５にそれぞれ対応する。
【発明の効果】
【００１８】
本発明によれば、予約ジョブが存在する場合には、ジョブの実行を中断せずに無効とした画像を出力させるので、予約ジョブの実行が妨げられることはなく、禁止禁止画像原稿を読み取った場合における使用性の向上を図ることができる。
【発明を実施するための最良の形態】
【００１９】
以下、本発明の実施形態について図面を参照して説明する。  
図１は操作パネル制御装置によって制御されるシステム操作部を正面から見た外観図、図２は本発明の実施形態に係る画像形成装置の制御構成を示すブロック図である。図２において本実施形態に係る画像形成装置は、システムコントローラ２３０、操作パネル制御装置２３１及び画像入出力制御装置２３２から基本的に構成されている。
【００２０】
システムコントローラ２３０は、スキャナアプリケーション、コピーアプリケーション、ＦＡＸアプリケーション、プリンターアプリケーション等の複数及び単体アプリケーションの機能を備え、システム全体の制御を行う。操作パネル制御装置２３１は、本システムの設定の入力とその状態内容を表示する装置である。画像入出力制御装置２３２は、原稿画像の読み取り、公知の電子写真技術による転写用紙への画像書き込みを行う。これらは画像データバス／制御コマンドバス２２０によって接続されている。画像データバス／制御コマンドバス２２０は、画像データと制御コマンドが時分割で転送されるバスである。
【００２１】
システムコントローラ２３０は、ＣＰＵ２０５、ＲＯＭ２０４、ＲＡＭ２０３、ＮＶＲＡＭ２０２、ワークメモリ２００、フレームメモリ２０１、メモリコントローラ２１０システムインターフェース２０７、ネットワークインターフェースコントローラ２０６、ＦＩＦＯバッファ２０９，２１０、ＨＤＤＣ２５０、及びバス制御部２１１，２１２，２１３を含む各要素から構成されている。ＣＰＵ２０５はシステムコントローラ２３０の制御を行う。ＲＯＭ２０４にはシステムコントローラ２３０の制御プログラムが書き込まれ、ＣＰＵ２０５はこの制御プログラムにしたがって制御を実行する。ＲＡＭ２０３はＣＰＵ２０５が使用する作業用メモリである。ＮＶＲＡＭ２０２は不揮発性メモリであり、システム全体の情報を保管する。ネットワークＩ／Ｆコントローラ２０６は、ネットワークとの接続制御を行う。
【００２２】
システムＩ／Ｆ２０７はＣＰＵ２０５の命令によりシステム内で処理されるＦＡＸデータ、プリンターデータの転送制御を行う。ワークメモリ２００はプリンタで使用する画像展開の作業用メモリである。フレームメモリ２０１は、読み取り画像や書き込み画像のイメージデータを蓄える作業用メモリであり、イメージデータは、符号化されたりドットイメージであったりする。ＦＩＦＯバッファ２０９は入力画像をフレームメモリ２０１への書き込み時のデータ転送速度変換を行う。同様にＦＩＦＯバッファ２０８は、フレームメモリ２０１の画像データを出力画像としてデータ転送する時の速度変換を行う。
【００２３】
メモリコントローラ２１０はＣＰＵ２０５の制御なしにフレームメモリ２０１及び、ＨＤＤＣ２５０とバス間の画像の入出力をコントロールする。ＨＤＤＣ２５０は、内部に周知のＨＤＤを持ちＨＤＤへ画像データの入出力制御を行う。ＨＤＤには画像読み取り装置２２３で読み取られた画像及び、ネットワーク経由で取得した画像が保存される。
【００２４】
操作パネル制御装置２３１は入力装置２１４、表示装置２１５、ＣＰＵ２１７、ＲＯＭ２１５、ＲＡＭ２１８及びバス制御部２１９を備えている。ＣＰＵ２１７は操作パネル制御装置２３１の制御を司り、ＲＯＭ２１６には操作パネル制御装置２３１の制御プログラムが書き込まれ、ＣＰＵ２１７はこの制御プログラムにしたがって制御を実行する。ＲＡＭ２１８はＣＰＵ２１７で使用する作業用メモリである。入力装置２１４は、使用者がシステム設定の入力を行う装置である。表示装置２１５は使用者がシステムの設定内容、状態を確認するためそれらを表示する装置である。
【００２５】
画像入出力制御装置２３２は、ＣＰＵ２２５、ＲＯＭ２２９、ＲＡＭ２２８、画像書き込みユニット２２３、画像読み取りユニット２２４、地紋認識ユニット２３５、電子写真プロセスユニット２２６、転写紙搬送制御ユニット２２７、原稿搬送制御ユニット２３４、課金装置インターフェースユニット２３３、及びバス制御ユニット２２１，２２２を備えている。
【００２６】
ＣＰＵ２２５は画像入出力制御装置２３２の制御を司る。ＲＯＭ２２９には、画像入出力装置２３２の制御プログラムが書き込まれ、ＣＰＵ２２５はこの制御プログラムにしたがって制御を実行する。ＲＡＭ２２８はＣＰＵ２２５で使用する作業用メモリである。画像書き込みユニット２２３はレーザ光を画素周波数で点灯し、ポリゴンスキャナでスキャンする公知の光学書き込み装置の制御ユニットである。
【００２７】
画像読み取りユニット２２４は、ランプ光を原稿で反射しＣＣＤで読み取る公知の光学式スキャナの制御を行うユニットである。また、画像読み取りユニット２２４は、画像処理を行い、可視及び不可視の識別子を画像データから分離する。前記分離された識別子はＣＰＵ２２５でコード化されシステムコントローラ２３０に送られ、ネットワーク上に存在する画像処理装置及びコンピュータを特定する。
【００２８】
原稿搬送制御ユニット２３４は、複数枚積載された原稿から画像読み取りユニット２２３が読み取る原稿を１枚ずつ搬送する。また、原稿搬送制御ユニット２３４は原稿のサイズ検出も行う。電子写真プロセスユニット２２６は感光体上にレーザ光で書きこまれた潜像画像をトナーで実像化し、用紙に転写、定着する周知の電子写真技術を制御するユニットである。転写紙搬送制御２２７は、電子写真ユニット２２６で画像が転写される用紙の搬送制御を行う。
【００２９】
課金装置Ｉ／Ｆ２３３は、画像制御装置２３２と課金装置を接続するため、ＣＰＵ２２５の命令を課金装置の専用Ｉ／Ｆへ変換し、課金装置と印刷条件、課金、印刷可否信号の送受信を行う。地紋認識ユニット２３５は、地紋パターン認識を行う。画像読み取りユニット２２４から２値化された画像データが地紋認識ユニット２３５に送られる。地紋認識ユニット２３５は地紋検出結果を画像読み取りユニット２２４に送る。画像読み取りユニット２２４は、地紋認識ユニット２３５から送られる地紋検出結果と、ＣＰＵ２２５の指示により画像データを所定の階調と位相に固定化し、原稿画像の判読ができないように画像加工を施す。なお、バス制御部２１１，２１２，２１３，２１９，２２１，２２２は接続されている各部と画像データバス／制御コマンドバス２２０との間の信号の送受を制御する。
【００３０】
図１に示すようにシステム操作部１００のほぼ中央部には液晶表示部１０５が設けられている。この液晶表示部１０５は、設定内容を表示するＬＣＤと、ＬＣＤ上の押下位置を検出するタッチパネルにより構成されている。液晶表示部１０５の図において左側には、初期設定キー１００、コピーアプリキー１０１、スキャナアプリキー１０２、プリンタアプリキー１０３、ＦＡＸアプリキー１０４がそれぞれ設けられている。初期設定キー１００は、このキーを押し下げると、システムや他アプリの詳細設定を行う初期設定画面に切り替わる。また、各アプリキー１０１〜１０４を押下すると、各アプリケーションの操作画面に切り替わる。
【００３１】
液晶表示部１０５の図においても右側には、テンキー１０６、クリアストップキー１０７、モードクリアキー１０８、スタートキー１０９、プログラムキー１１０が配置されている。テンキー１０６はコピーのセット枚数など数値入力時に使用する。クリアストップキー１０７は値の入力時に入力内容を消去したり、コピー動作中に停止させるときに使用する。モードクリアキー１０８は設定中の内容を初期値に戻す場合に使用する。スタートキー１０９はスキャナの原稿読み取りやコピーを開始するときに使用する。プログラムキー１１０は任意のモードの登録や、そのモードを呼び出すときに使用する。
【００３２】
図３は図２における地紋認識ユニットの地紋パターン認識処理部の詳細を示すブロック図である。以下、この図を参照して画像データからの地紋認識について説明する。
【００３３】
地紋パターン認識処理部は地紋認識ユニット２２４に設けられ、孤立ドット検出部３００、位相情報記憶部３０１、パターンマッチング部３０２及び地紋検出部３０３から構成されている。２値化された画像データは孤立ドット検出部３００に送られ、孤立ドット検出部３００では、主走査ｄ画素×副走査ｌライン中にある孤立画素を検出する（符号３０４は孤立画素の検出情報を示す）。孤立画素の検出情報３０４は画像データとともに位相情報記憶部３０１に送られる。位相情報記憶部３０１では、主走査ｄ画素×副走査ｌライン中にある孤立画素の検出情報３０４から主走査ｄ画素×Ｂ数分のＢｄと副走査ｌライン×Ｌ数分のＬｌであるＢｄ×Ｌｌブロック中で孤立画素の位置関係を孤立画素の位置関係情報３０５として記憶する。
【００３４】
パターンマッチング部３０２では、位相情報記憶部３０１で記憶されたＢｄ×Ｌｌブロック中の孤立画素の位置関係情報３０５と、所定の地紋パターンとのマッチングを行う（符号３０６はパターンマッチング情報を示す）。パターンマッチング部３０２におけるパターンマッチングの結果（パターンマッチング情報３０６は地紋検出部３０３に送られる。地紋検出部３０３では、副走査ライン中で所定のｎ個のパターンマッチング検出がされると、地紋であると認識され、検出信号が出力される。なお、孤立ドット検出部３００及びパターンマッチング部３０２は、原稿読み取り時に所定以上の解像力が必要とされる。原稿画像データの解像度が所定より低い場合は画素の干渉から地紋パターンを検出できなくなる。
【００３５】
次に本実施形態において図４と図５より地紋印刷された原稿と地紋がない原稿に対する読み取り後の画像の違いを説明する。  
地紋印刷された原稿４００を地紋認識して読み取り、地紋が認識されると、原稿画像を判読できないように加工し、符号４０１で示すように印刷する。地紋印刷された原稿４００を地紋認識しないで読み取ると、符号４０２で示すように原稿画像はそのまま読み取られる。地紋印刷されていない原稿５００を地紋認識して読み取っても、地紋が認識されないため、符号５０１で示すように原稿画像はそのまま読み取られる。更に、地紋印刷されていない原稿５００を地紋認識しないで読み取っても、符号５０２で示すように原稿画像はそのまま読み取られる。すなわち、読み取り原稿画像情報中に複写禁止画像情報としての地紋が認識されたとき、地紋認識が無効とされている場合には、読み取った画像情報が無効とされる（符号４０２）が、地紋認識が有効な場合には無効化された（判読されないような）が出力され（符号４０１）、複写画像として使用することはできない。また、符号４０２で示すように地紋認識が無効とされている場合には、通常、この画像は出力されず、ジョブが中断される。これに対して、地紋が認識されない場合には、地紋認識の有効、無効にかかわらず、読み取った原稿画像情報が印字出力される。
【００３６】
このような処理の処理手順を図６および図７のフローチャートに示す。
【００３７】
図６のフローチャートに示した処理手順では、まず、ジョブを開始すると画像読み取りユニット６２４にて原稿を１枚読み取る（ステップＳ１０１）。このとき地紋認識ユニット６３５で特定の地紋パターンが認識されたかどうか判断し（ステップＳ１０２）、認識されなかった場合は、読み取った画像情報を画像書き込みユニット６２３で転写紙に転写し（ステップＳ１０３）、転写された転写紙を転写紙搬送制御ユニット６２７から排紙口へ排紙する（ステップＳ１０４）。
【００３８】
ステップＳ１０２において特定の地紋パターンが認識された場合には、予約ジョブが存在するかどうか判断し（ステップＳ１０５）、存在する場合は、読み取った画像情報を画像書き込みユニット６２３で無効化して転写紙に転写し（ステップＳ１０６−符号４０１）、転写紙搬送制御ユニット６２７で通常の転写紙束の配置位置から排紙位置をシフトさせて排紙口へ排紙する（ステップＳ１０７）。
【００３９】
以上の処理を終えた後で、すべての原稿の読み取りを完了したかどうか判断し（ステップＳ１０９）、完了していなければさらに原稿の読み取りを行ない、完了していれば処理を終了する。また、Ｓ５にて予約ジョブが存在しない場合はその時点でジョブを中断する（ステップＳ１０８−符号４０１）。
【００４０】
図７のフローチャートに示した処理手順では、事前にシステム操作部（図１）の液晶表示部１０５に図８の画面を表示させ、特定の地紋パターンを読み取った場合のジョブ中断をするかしないかを設定（選択）させておき、設定結果をＮＶＲＡＭ６０２に格納しておく。
【００４１】
この状態で、ジョブが開始され、画像読み取りユニット６２４で原稿を１枚読み取り（ステップＳ２０１）、地紋認識ユニット６３５で特定の地紋パターンが認識されたかどうか判断する（ステップＳ２０２）。地紋認識ユニット６３５で特定の地紋パターンが認識されなかった場合は、読み取った画像情報を画像書き込みユニット６２３において転写紙に転写し（ステップＳ２０３）、転写紙搬送制御ユニット６２７から排紙口へ排紙する（ステップＳ２０６）。
【００４２】
ステップＳ２０２で、特定の地紋パターンが認識された場合は、ジョブを中断する設定になっているかどうか、ＮＶＲＡＭ６０２の設定内容を参照して判断し（ステップＳ２０４）、ジョブを中断する設定になっていない場合は、読み取った画像情報を画像書き込みユニット６２３にて無効化して転写紙に転写し（ステップＳ２０５−符号４０１）、転写紙搬送制御ユニット６２７から排紙口へ排紙する（ステップＳ２０６）。
【００４３】
以上の処理を終えた後で、すべての原稿の読み取りを完了したかどうか判断し（ステップＳ２０９）、完了していなければさらに原稿の読み取りを行ない、完了していれば処理を終了する。また、Ｓ２０４にてジョブを中断する設定となっている場合は、その時点でジョブを中断する（Ｓ２０７）。
【００４４】
以上のように本実施形態によれば、画像を読み取った際にある特定の地紋パターン（禁止画像）を認識した場合に、その画像を無効にする処理を施す機能を有する画像形成装置において、もしそのジョブを中断するのであれば、前記のジョブの後に予約ジョブが存在しても無効化した画像を出力するので、予約ジョブを引き続いて実行することができ、予約ジョブの実行が妨げられてしまうことはない。
【００４５】
また、ジョブを中断せずに、無効となった画像が転写された転写紙を排紙する場合に、その転写紙を通常の画像を形成した転写紙束からシフトして排紙するので、無効化された画像が印字された転写紙を操作者が容易に判別できる。
【００４６】
さらに、ある特定の地紋パターンを認識した場合にジョブを中断するか否かを操作者が選択できるので、操作者の意志に応じた処理が可能となる。
【図面の簡単な説明】
【００４７】
【図１】本発明の実施形態における操作パネル制御装置によって制御されるシステム操作部を正面から見た外観図である。
【図２】本発明の実施形態に係る画像形成装置の制御構成を示すブロック図である。
【図３】図２における地紋認識ユニットの地紋パターン認識処理部の詳細を示すブロック図である。
【図４】複写禁止画像情報としての地紋が印刷された原稿の読み取り後の状態を示す説明図である。
【図５】複写禁止画像情報として地紋が印刷されていない原稿の読み取り後の状態を示す説明図である。
【図６】地紋が印刷された原稿を読み取ったときに予約ジョブが存在するか否かを判断し、その判断に対応した処理手順を示すフローチャートである。
【図７】地紋が印刷された原稿を読み取ったときにジョブを中断するか否かの設定を判断し、その判断に対応した処理手順を示すフローチャートである。
【図８】図７におけるジョブを中断するか否かを設定する設定画面の一例を示す図である。
【符号の説明】
【００４８】
１０５  液晶表示部
１０６  テンキー
２０２  ＮＶＲＡＭ
２０５，２１７，２２５  ＣＰＵ
２１４  入力装置
２１５  表示装置
２２０  画像データバス／制御コマンドバス
２２３  画像書き込みユニット
２２４  画像読み取りユニット
２２６  電子写真プロセスユニット
２２７  転写紙搬送制御ユニット
２３０  システムコントローラ
２３１  操作パネル制御装置
２３２  画像入出力装置
２３４  原稿搬送制御ユニット
２３５  地紋認識ユニット
３００  孤立ドット検出部
３０１  位相情報記憶部
３０２  パターンマッチング部
３０３  地紋検出部
【図１】
2006171653.tif 000003
【図２】
2006171653.tif 000004
【図３】
2006171653.tif 000005
【図４】
2006171653.tif 000006
【図５】
2006171653.tif 000007
【図６】
2006171653.tif 000008
【図７】
2006171653.tif 000009
【図８】
2006171653.tif 000010